(57)【要約】【課題】小さい操作力でスムーズに開閉できる高速道路などの防音壁の開閉扉を提供する。【解決手段】下面にガイド溝３８を有する箱形断面枠材３２（上部枠材）と下部レール部材部６に、固定扉７を固定的に取付けると共に開閉扉８を横移動自在に取付ける。ガイド溝３８の一側には、開閉扉８の上部に固定ボルト４７により着脱自在に設けた戸車支持部材３５の戸車３９を片持ちで吊り下げるハンガーレール３４を備える。戸車保持部材３５に吊るされた開閉扉８の幅方向の重心位置と戸車３９とハンガーレール３４の係合中心とが同一線上にあるように構成されている。【選択図】  図３
2006144300.tif 000002
【特許請求の範囲】
【請求項１】
防音壁に設けられた上部梁と下部レール部材に扉を横移動自在に設置し、上部梁に設けられたハンガーレールと、ハンガーレールの上を横移動する戸車と、戸車を保持している戸車保持部材と、戸車保持部材と、戸車保持部材に吊るされた扉とから構成され、扉の幅方向の重心位置と戸車とハンガーレールとの係合中心とが同一線上にある開閉扉を備えていることを特徴とする防音壁等の開閉扉。
【請求項２】
前記開閉扉が、前面の孔またはルーバーを備えた正面板と、上下左右の４辺の扉枠材と、正面板と反対面にある背面板と、扉内部にあり上下の扉枠材の間を縦に渡している仕切り部材と、左右の扉枠材と仕切り部材間に充填された吸音材とから構成されていることを特徴とする請求項１記載の防音壁等の開閉扉。
【請求項３】
前記戸車保持部材は、水平部材と垂直部材から構成され、水平部材に固定ボルトの差し込み溝と、この差し込み溝に対し９０°曲げられたボルト嵌合溝を備えたことを特徴とする請求項１または２記載の防音壁等の開閉扉。
【請求項４】
前記開閉扉にワイヤー係合具が取り付けられており、支柱間に渡されたワイヤーにワイヤー係合具を介して開閉扉が横移動可能に係止されていることを特徴とする請求項１〜３の何れか１項記載の防音壁等の開閉扉。
【発明の詳細な説明】
【技術分野】
【０００１】
本発明は、主に道路用防音壁の開閉扉に係り、その他防雪・防風柵等にも適用できる開閉扉に関するものである。
【背景技術】
【０００２】
防音壁や防雪・防風柵等には、その中に出入するための開閉扉が設けられている。例えば、高速用道路等に設置される防音壁には、一定間隔おきに人の出入りできる点検・緊急時退避用の開閉扉（管理扉）が設けられている。この扉は通常固定扉と開閉扉が対をなしていて、該開閉扉をレールに沿って引き戸式に移動させることで出入り口を開閉できるものである。
【０００３】
図１１〜図１５によって、従来の高速用道路等に設置される防音壁の開閉扉を説明する。図１１は高速道路１の両脇に設けられた防音壁２を示す。図の場合、Ｈ形鋼からなる支柱（以下縦枠という）４が所定の間隔で立設されていて、隣り合う縦枠４のフランジ内をガイドとして長方形の防音パネル１０を複数枚落とし込むことで防音壁２を構成している。複数の縦枠４の上端にわたってＨ形鋼からなる横枠（以下上部梁という）５が架設されている。この防音壁２には、高速道路内のバス停等への出入用などのための開閉扉３が設けられている。
【０００４】
前記の開閉扉３は、防音壁２において一定の間隔離れた場所に設けられるもで、図１１のように、所定の場所における縦枠４と上部梁５と下部レール部材６とから構成された矩形枠内の右側に固定扉７が配置され、左側に引戸式の開閉扉８を設けて構成される。開閉扉３の外形は図１２、図１３に示されている。
【０００５】
固定扉７と開閉扉８は図１４、図１５に示すように、複数の切込みにより開口１１が形成された前面側の有孔板１２と、裏面側の遮音板１２ａと内部に充填されたグラスウールなどの吸音材１４とから構成されて遮音性を有している。なお、枠体内にポリカーボネート等の透光性合成樹脂板やガラス板等が装着されて透光性かつ遮音性を有するものであってもよく、特に制限されるものではない。
【０００６】
固定扉７および開閉扉８の縦枠４および上部梁５への取合い構造を順に説明する。図１５に示すように固定扉７の一側に角形の縦取付枠１３が設けられており、この縦取付枠１３をＨ形材からなる縦枠４の両フランジの内側に配置し、縦取付枠１３の一側辺に螺合した固定ボルト１４ａを捻り調整してその頭部を縦枠４の一方のフランジ内面押し当てることで、固定扉７の一側を縦枠４に固定している。また、固定扉７の他側の縦取付枠１５の上下端は、上部梁５と下部レール部材６に固定している。
【０００７】
図１３、図１５に示すように、固定扉７と開閉扉８には、上部横桟１６と下部横桟１７と両側の縦桟１８、１９とが壁面を取囲んで設けられている。開閉扉８にあっては、取っ手２０の設けられた側の縦桟１８が当たる側において、縦ガイド枠２１が設けられている。この縦ガイド枠２１は、Ｈ形材からなる縦枠４の両フランジの内側に配置され、縦ガイド枠２１の一側辺に螺合した固定ボルト１４ａを捻り調整して、その頭部を一方のフランジ内面押し当てることで縦枠４に固定している。縦ガイド枠２１は、開閉扉８の開口を閉じたときの位置決め材としている。開閉扉８の他方の縦枠１９には弾性のダンパ２２が取付けてあり、このダンパ２２は、開閉扉８の開口移動時に縦取付枠１３に設けたダンパ受け２３に当たるように設けてある。
【０００８】
図１５に示すように開閉扉８の上端は戸車２９を介して、開口部（すなわち開閉扉８によって開閉される部位）の上部に長手方向に沿って横設されたハンガーレール２４に移動可能に吊り下げ支持される。開閉扉８の下部横桟１７にはコ字形のガイド部２５が設けられ、ガイド部２５の開口部が、その下部に長手方向に沿って横設された下部ガイドレール２６に嵌挿されている。この下部ガイドレール２６は下部レール部材６に設けられている。
【０００９】
ハンガーレール２４及び下部ガイドレール２６は、開閉扉８の開閉運動を支え案内するもので、開閉扉８はハンガーレール２４に沿って開口正面の左右側に移動することにより開閉されると共に、下端のガイド部２５が下部ガイドレール２６に嵌挿されていることにより、前後の横揺れが防止されている。
【００１０】
ハンガーレール２４と開閉扉８との関係をさらに説明する。図１４のようにハンガーレール２４は、ほぼ箱形断面で下面の中間部に長手方向に伸びるガイド溝２８を有し、固定扉７の上部横取付枠２７の内部に設けられている。一方、開閉扉８の上部横桟１６には、戸車２９の軸３０を直角方向に貫通するハンガーボルト３１が挿入され、ナット３１ａと調整部材３１ｂにより、高さ調整自在に戸車２９が開閉扉８の上部に設けられている。
【００１１】
戸車２９を介してハンガーレール２４に吊下げ支持されていて、開閉移動できる上記の開閉扉８は、戸車２９やハンガーレール２４に錆の発生、異物の詰まり、修理・点検のためハンガーレール２４から取り外してする必要が生じることがあるが、その際、上記の構造では開閉扉８のみを取り外せない構造であるため、本出願人は、特開２００４−２１１４５８号によって開閉扉のみを簡単に取り外せる扉構造を提案している。
【特許文献１】特開２００４−２１１４５８号公報
【発明の開示】
【発明が解決しようとする課題】
【００１２】
高速道路のバス停用の開閉扉などは、老人や子供が使用する機会も多く、開閉力を少しでも低減し、比較的小さい力でスムーズに開閉できるのが望ましい。この問題点は高速バス停等の開閉扉に限らず、点検用の開閉扉、緊急避難用の開閉扉の場合も同様である。
【００１３】
ところで、高速道路の防音壁におけるバス停用の開閉扉や点検用の開閉扉は、上部梁に設けられたハンガーレールとレールの上を横移する戸車と保持部材に吊るされた扉および、下部ガイドレールから構成されている構造が一般的であり、これは本出願人の先願発明やその他の従来技術に共通する構造である。
【００１４】
前記開閉扉の吊下げ支持構造において、扉のスムーズな開閉を阻害する要因は種々あるが、その要因を分析すれば、主に次のような問題点が挙げられる。すなわち、
【００１５】
（１）開閉扉の移動の際、扉が左右に蛇行して安定走行しないという問題があり、これが開閉扉のスムーズな開閉移動を阻害する要因の一つであったが、防音壁の開閉扉にあっては、扉が左右に蛇行する原因を解明することは従来行われていない。（２）また、扉のスムーズな開閉を阻害する要因として、開閉扉の重量が重いことがあった。
【００１６】
本発明者の検討結果によると、前記（１）に関し、開閉扉が左右に蛇行する原因は、（１−１）扉を吊下げて走行する戸車が、ハンガーレールおよび扉に対して平行がずれて取り付けられていること、また、（１−２）戸車が平行に取り付けられていても、扉の厚み方向の重心と戸車とハンガーレールとの係合中心とがずれていることにより扉のスムーズな走行が阻害されることが分かった。これに関してさらに検討すると、扉にはルーバーや吸音材等の防音機能が組み込まれているため、扉の厚み幅の中心と、厚み方向の重心とは僅かではあるがずれていることが多く、この重心のずれを考慮して戸車とハンガーレールが設けられていないため、それが原因で扉が下部ガイドレールに接触したり、戸車がハンガーレール上を左右に振れて転がり抵抗が増えたりして、スムーズな扉移動できなく、これらが扉の開閉に大きな力を必要とする要因の１つであることが分った。
【００１７】
前記（２）に関し、扉の重量が大きいほど戸車に係る負荷抵抗が大きくなり、扉の開閉に大きな力を必要とする要因の他の１つである。（３）戸車を支えるベアリング部の回転摩擦抵抗が大きいことも扉の開閉に大きな力を必要とする要因のさらに他の１つであり、この戸車の摩擦抵抗が少ないほど、扉の移動がスムーズに行える。
【００１８】
道路用防音壁の開閉扉において、特に上記（１）（２）の問題点を解決することで、扉の移動をスムーズに行わせるようにした改良は従来提案されていない。本発明はこの（１）（２）の問題点を改良することで、扉を開くときの扉の抵抗が少なく、小さい操作力でしかも長期間に亘り扉をスムーズに移動できる構造をより簡潔な手段で実現した。さらに本発明は、支柱や上部梁等が腐食して、開閉扉がはずれて脱落することもあるためその対策が要望されていたことに鑑みて、簡易的な脱落防止装置を実現したものである。
【課題を解決するための手段】
【００１９】
前記の課題を解決するために、本発明は次のように構成した。
【００２０】
第１の発明は、防音壁に設けられた上部梁と下部レール部材に扉を横移動自在に設置し、上部梁に設けられたハンガーレールと、ハンガーレールの上を横移動する戸車と、戸車を保持している戸車保持部材と、戸車保持部材と、戸車保持部材に吊るされた扉とから構成され、扉の幅方向の重心位置と戸車とハンガーレールとの係合中心とが同一線上にある開閉扉を備えていることを特徴とする防音壁。
【００２１】
第２の発明は、第１の発明において、前記開閉扉が、前面の孔またはルーバーを備えた正面板と、上下左右の４辺の扉枠材と、正面板と反対面にある背面板と、扉内部にあり上下の扉枠材の間を縦に渡している仕切り部材と、左右の扉枠材と仕切り部材間に充填された吸音材とから構成されていることを特徴とする請求項１記載の防音壁。
【００２２】
第３の発明は、第１または第２の発明において、前記戸車保持部材は、水平部材と垂直部材から構成され、水平部材に固定ボルトの差し込み溝と、この差し込み溝に対し９０°曲げられた固定溝を備えたことを特徴とする請求項１または２記載の防音壁。
【００２３】
第４の発明は、第１〜第３の発明において、前記開閉扉にワイヤー係合具が取り付けられており、支柱間に渡されたワイヤーにワイヤー係合具を介して開閉扉が横移動可能に係止されていることを特徴とする請求項１〜３の何れか１項記載の防音壁。
【発明の効果】
【００２４】
本発明によると、（１）開閉扉の幅方向の重心位置と戸車とハンガーレールとの係合中心とが同一線上にあるように設けたので、扉が鉛直に吊下げることができ、下部ガイドレールとの接触がなく、スムーズに扉が開閉できる。（２）戸車支持部材の水平板には、扉を移動方向平行に取り付ける固定ボルトの差し込み溝と、差し込み溝の対し９０°曲げられたボルト嵌合溝を設けたので、扉を吊下げて走行する戸車が、ハンガーレールの軸線および扉と正確に平行に取り付けられることにより、扉が移動する際に、左右に蛇行せずに動くので、スムーズに開閉移動できる。（３）吸音材を充填する開閉扉の背面板を薄くできるよう扉枠を構成したので、該開閉扉を従来に比べて軽量化でき、軽い操作力で開閉移動できる。（４）支柱間に架け渡された落下防止ワイヤーにワイヤー係合具を介して開閉扉が横移動可能に設けられているので、開閉扉が、劣化や事故で、フレームからはずれても落下することがない。（４）全体が特に複雑な構造ではなく、コストが低減でき、また、耐久性も向上する。
【発明を実施するための最良の形態】
【００２５】
以下、本発明の実施形態を図を参照して説明する。
【００２６】
本実施形態の主な目的は、開閉扉の開閉移動を軽くスムーズに操作できるように構成すること、及び開閉扉が劣化や事故で取り付け枠から外れても落下しない構成にすることにある。そのための具体的手段として、本実施形態では（１）扉を吊下げて走行する戸車が、扉およびレールに対して平行を確実に保って取り付けることができる構成としている。（２）扉の厚み方向の重心と戸車とハンガーレールの係合位置を必ず一致するように構成することで、扉の移動に際しての蛇行を防止する手段を施している。（３）開閉扉の構成を軽量化している。（４）開閉扉が横移動可能にワイヤーを左右の支柱間に架け渡すことにより、支柱や上部梁等が腐食して、開閉扉がはずれても道路側に脱落することがないように構成している。
【００２７】
前記（１）〜（４）の具体的な実施形態を図を参照して説明する。なお、図１１〜図１５に示した従来例と同一要素には同一符号を付して説明する。
【００２８】
図１は、本発明の実施形態に係る開閉扉の正面図、図２（ａ）、（ｂ）は、開閉扉と固定扉の正面図、図３（ａ）（ｂ）は、図１のＡ−Ａ断面図（図２のＡ−１線に沿う位置）とＢ−Ｂ断面図（図２のB−１線に沿う位置）である。図４（ａ）（ｂ）は、図１のＡ−Ａ断面線（図２のＡ−１線に沿う位置）とＢ−Ｂ断面線（図２のB−１線に沿う位置）に沿って切断し、開閉扉を傾斜してハンガーレールから取り外す態様を示す図である。
【００２９】
図５は、開閉扉と吊り戸車とレール等の部材の分解斜視図である。図６（ａ）〜（ｃ）は、本実施形態に係る戸車支持部材の平面図と正面図と側面図、図６（ｄ）〜（ｆ）は、（比較例として示す）従来の戸車支持部材の平面図と正面図と側面図である。図７は、図１のＣ−Ｃ線の断面図である。図８は、図７に部分的に示す扉の落下防止用ワイヤーの端部固定構造を示す拡大詳細図、図９は、本実施形態に係る軽量化された移動扉の躯体部の斜視図、図１０は、従来例の移動扉の躯体部の斜視図である。
【００３０】
図１、図２に示す開閉扉３３は、図１１（従来例）のように高速道路１の両脇に設けられる防音壁２に適当間隔ごとに設けられ、この防音壁２が、所定の間隔で立設されたＨ形鋼からなる支柱４のフランジ内をガイドとして長方形の防音パネル１０を複数枚落とし込むことで構成され、支柱４の上端にわたってＨ形鋼からなる上部梁５が架設されている。
【００３１】
本実施形態に係る高速道路の防音壁などの開閉扉３３が、高速道路の側部等の設置場所に立設する支柱４と上部梁５と下部レール部材６とから構成された矩形枠内の右側に固定扉７が配置され、左側に取っ手２０を有する引戸式の開閉扉８を設けて構成されるが、この点も従来と同じである（なお、固定扉７の代わりに、通常の防音壁のパネルよりも薄い壁材（パネル）と開閉扉を組み合わせた開閉扉や、開閉扉と開閉扉を組み合わせた開閉扉のいずれにも、本発明を適用できる）。
【００３２】
図３〜図５、図７において、固定扉７と開閉扉８は、従来と同様に、複数の切込により開口１１が形成された前面側の有孔板１２と裏面側の背面板（遮音板）１２ａの間に充填されたグラスウールなどの吸音材１４とから構成されて遮音性を有している。扉の遮音構造は、扉枠体内にポリカーボネート等の透光性合成樹脂板やガラス板等が装着されて透光性かつ遮音性を有するものであってもよく、特に制限されるものではない。
【００３３】
また、本発明の開閉扉８は、その開閉移動をスムーズにするため、従来の開閉扉に比べて軽量化されている。図９、図１０によって説明すると、図１０は従来の開閉扉８ａの枠体を示し、上下部の横枠１６、１７と両側の縦枠１８、１９とで矩形の枠体を構成すると共に、この矩形の扉枠体の一側面に中央接合部６０の左右に位置する２枚の背面板１２ａを取り付ける。さらに、各背面板１２ａの前面には吸音材仕切り枠６１を取り付け、この吸音材仕切り枠６１で仕切られた矩形の扉枠体の内側空間に吸音材（図示省略する）を充填して従来の開閉扉８ａを構成する。
【００３４】
従来の開閉扉８ａにおいて、吸音材仕切り枠６１は、背面板１２ａにのみ固定されていて、上下の横枠１６、１７に対しては固定されていない。したがって、吸音材仕切り枠６１は強度部材として使われていないため、背面板１２ａの中央接合部６０に最大応力が発生している。このため、背面板１２ａに所定の強度を確保することが必要であり、このため背面板１２ａの板厚を厚く構成しており、これが従来の開閉扉８ａの重量を重くする主たる要因であった。
【００３５】
図９に示す本実施形態の開閉扉８は、上下の横枠１６、１７と両側の縦枠１８、１９とで構成される矩形の扉枠体の内側に３本の吸音材仕切り枠６２を配設すると共に、各吸音材仕切り枠６２の上下部を上下の横枠１６、１７にビス等で固定している。そして、背面板１２ａは、上下の横枠１６、１７と左右の縦枠１８、１９に固定することに加えて、３本の吸音材仕切り枠６２にも接合する。そして、吸音材仕切り枠６２で仕切られた矩形の枠体の内側空間に吸音材（図示省略する）を充填する。
【００３６】
本実施形態の開閉扉８では、吸音材仕切り枠６２を上下の横枠１６、１７に接合したので、該吸音材仕切り枠６２を強度部材（構造部材）として機能させ、加えて、吸音材仕切り枠６２の設置本数も従来の２本に比べて３本に増やすことで、吸音材仕切り枠６２に接合する背面板１２ａの厚みを従来に比して薄くしても、背面板１２ａの必要な強度を確保できる構成としている。そして、３本の吸音材仕切り枠６２のうち、扉中央部に設置した吸音材仕切り枠６２に背面板１２ａを固定し、背面板１２ａに加わる外力を負担させることで、外力が軽減された背面板１２ａの板厚を薄くして扉全体を軽量化できた。開閉扉８を試作し、従来の開閉扉８ａと比較したところ、扉質量８４ｋｇ→５７ｋｇに軽減できたもので、すなわち、従来に比べて開閉扉を２７ｋｇも軽くできることが確認された。
【００３７】
本実施形態に係る開閉扉８および固定扉７の支柱４と上部梁５への取合い構造は、従来とほぼ同様である。すなわち、図７に横断面図で示すように固定扉７の一側に縦枠１５ａを介して角形の縦取付枠１３が設けられており、この縦取付枠１３をＨ形材からなる支柱４の両フランジの内側に配置し、縦取付枠１３の一側辺に螺合した固定ボルト１４ａを捻り調整してその頭部を支柱４の一方のフランジ内面押し当てることで、固定扉７の一側を支柱４に固定している。また、固定扉７の他側の縦取付枠１５の上下端は、上部梁５と下部レール部材６に固定している。
【００３８】
また、扉本体を取囲むように設けられた両側の縦枠１８、１９（図７参照）と、上部横枠１６と下部横枠１７（図３参照）において、取っ手２０の設けられた縦枠１８が当たる側に縦取付枠２１が設けられている。この縦取付枠２１は、Ｈ形材からなる支柱４の両フランジの内側に配置され、縦取付枠２１の一側辺に螺合した固定ボルト１４ａを捻り調整して、その頭部を一方のフランジ内面押し当てることで支柱４に固定している。縦取付枠２１は、開閉扉８が開口部を閉じたときの位置決め材としている。
【００３９】
図３に示すように、開閉扉８の上端は、開口部（すなわち開閉扉８によって開閉される部位）の上部に長手方向に沿って横設されたハンガーレール３４に戸車３９を介して移動可能に吊り下げ支持される。開閉扉８の下部横枠１７にはコ字形のガイド部２５が設けられ、ガイド部２５の開口部が、その下部に長手方向に沿って横設された下部ガイドレール２６に嵌挿されている。この下部ガイドレール２６は下部レール部材６に設けられている。
【００４０】
ハンガーレール３４及び下部ガイドレール２６は、開閉扉８の開閉移動を支え案内するもので、開閉扉８はハンガーレール３４に沿って開口正面の左右側に移動することにより開閉されると共に、下端のガイド部２５が下部ガイドレール２６に嵌挿されていることにより、前後の横揺れが防止されている。
【００４１】
開閉扉８の上部のハンガーレール３４とその周辺の戸車支持構造をさらに説明する。図３のようにハンガーレール３４は、上部梁５に設けられている上部レール部材３２によって構成されている。すなわち、上部レール部材３２の下面の中間部を切り欠くことにより、扉の移動方向に伸びるガイド溝３８を形成し、その一側縁を垂直に立ち上げることによりレール本体３４ａを形成している。
【００４２】
一方、図５に示すように、開閉扉８の上部横枠１６には、戸車支持部材３５が着脱自在に設けられる。戸車支持部材３５は水平板３６と垂直板３７とからなり、垂直板３７の側面に戸車３９を配置し、戸車軸４０を戸車３９の軸芯に挿通したうえ、垂直板３７に開設のボルト孔４１に通し、ナット４２を締結することで、回転自在に支持している。この戸車支持部材３５の扉上部に対する配置位置および固定状態が開閉扉８をスムーズに横移動させるうえで重要な要素となる。
【００４３】
以下説明すると、図５において、戸車支持部材３５の水平板３６には、その一側縁から所定深さの切り欠き溝４６が形成してあり、この切り欠き溝４６の奥部に９０度曲げた位置にボルト嵌合溝４６ａが設けられていて、この切り欠き溝４６とボルト嵌合溝４６ａに横方向から固定ボルト４７が着脱自在に設けられている。そして、ボルト嵌合溝４６ａに嵌合させた固定ボルト４７を、開閉扉８の上部横枠１６に開設のネジ穴４８に螺合することで戸車支持部材３５を開閉扉８の上部に着脱自在に固定できる。戸車支持部材３５を開閉扉８から離脱するには、固定ボルト４７を緩めて分離できる。
【００４４】
水平板３６の切り欠き溝４６にボルト嵌合溝４６ａを設けた理由を、図６（ａ）〜（ｆ）を参照して説明する。従来は、図６（ｄ）（ｅ）（ｆ）に示すように、水平板３６には切り欠き溝４６だけが開設されていたので、この切り欠き溝４６に嵌合した固定ボルト４７を締結するとき、その締め付け力が働いて切り欠き溝４６内で左右の固定ボルト４７がずれ動き、そのために戸車支持部材３５が平行に取付けられるべきレール本体３４ａ（図３参照）の軸線（イ）に対して水平板３６が平面的に傾いて扉の上部横枠１６の上面に取り付けられる。その結果、戸車３９の走行方向（ロ）がレールの軸線（イ）および開閉扉８に対してθ度傾いて平行が崩れ、戸車３９がレール本体３４ａの片側に接して蛇行することになり、さらに開閉扉８は、下部ガイドレール２６に対しても平行が崩れて移動することになり、これらが原因で開閉扉８のスムーズな移動が阻害される不具合があった。
【００４５】
本発明では、図６（ａ）（ｂ）（ｃ）に示すように、水平板３６の切り欠き溝４６にさらにボルト嵌合溝４６ａを形成したので、このボルト嵌合溝４６ａに嵌合した固定ボルト４７を締結するとき、その締め付け力が働いてもボルト嵌合溝４６ａ内で左右の固定ボルト４７はずれ動くことがない。したがって、レール本体３４ａ（図３参照）の軸線（イ）および開閉扉８に対して平行な状態で水平板３６を扉の上部横枠１６の上面に取り付けることができる。その結果、戸車３９の走行（回転）方向（ロ）とレール本体の軸線（イ）および開閉扉８が平行を確保できる。それにより、戸車３９がレール本体３４ａに沿って円滑に走行し、開閉扉８は下部ガイドレール２６の一側面に摺れながら移動することがなく、軽い操作力でスムーズに移動できる。
【００４６】
また、本発明では、戸車支持部材３５の水平板３６にはレーザーで穴加工を施して、そこに垂直板３７を差し込み溶接することで、水平板３６に対する垂直板３７の直角度を確保すると共に、垂直板３７の板厚を４．５ｍｍから６ｍｍに厚くして戸車３９に掛る扉の荷重によっても垂直板３７は曲がることがなく、これにより戸車軸と垂直板３７の直角度を確保できるように構成している。
【００４７】
さらに、戸車３９の蛇行を防止する他の手段として、開閉扉８の厚み方向の重心（ハ）（図３に示す）と戸車３９とレール本体３４ａとの係合部（以下、戸車センター（ニ）という）が一致するように構成している。開閉扉８の厚み方向の重心（ハ）と戸車センター（ニ）一致させるためには、ハンガーレール３４に設けるレール本体３４ａの幅方向の位置および、戸車軸に対する開閉扉８の取り付け位置などを相互に調整しながら各部材を配設することで可能となる。
【００４８】
前記のようにして、戸車３９の走行（回転）方向（ロ）とレールの軸線（イ）および開閉扉８が平行を保つようにして戸車支持部材３５を扉の上部横枠１６の上面に固着し、かつ、開閉扉８の厚み方向の重心（ハ）と戸車センター（ニ）とが位置するようにして開閉扉８を移動させる試験を行った。その結果、従来の移動扉に比べて移動に要する操作力が、８ｋｇｆ→４〜４．５ｋｇｆと低減でき、従来に比べて操作力を３ｋｇｆ低減できた。
【００４９】
さらに、本実施形態では、支柱や上部梁等が腐食して、開閉扉８が取付枠からはずれて道路側に落下するのを防止するために、落下防止ワイヤー６３によって簡易的な脱落防止装置を構成している。すなわち、固定板６４とワイヤー通し孔６５を有する係合板６６からなるワイヤー係合具６７を設け、前記固定板６４を扉の上部横枠１６の上面に設置して固定ボルト６８をボルト孔６９に通し、ネジ孔７０にねじ込むことでワイヤー係合具６７を開閉扉８の上部に固定している。さらに係合板６６のワイヤー通し孔６５に落下防止ワイヤー６３を通し、この落下防止ワイヤー６３の両端を左右の縦取付枠１３、２１に固定している。落下防止ワイヤー６３の端部の固定手段は任意でよいが、図７、図８に示す例では、落下防止ワイヤー６３の端部にネジ部材７１を一体に取り付け、このネジ部材７１を縦取付枠１３、２１の挿通孔７２に挿通し、挿通孔７２の両側からナット７３を締結することで落下防止ワイヤー６３の端部を縦取付枠１３、２１に固定している。落下防止ワイヤー６３の端部は支柱４等に固定してもよい。
【００５０】
前記のように構成したことで、支柱や上部梁等が腐食して、万一、開閉扉８がこれからはずれて道路側に落下するような場合、開閉扉８の上部はワイヤー係合具６７を介して落下防止ワイヤー６３に移動可能に係止されているので、この落下防止ワイヤー６３に支えられて道路側に落下するおそれをなくすることができる。なお、ネジ部材７１からナット７３を緩めることで落下防止ワイヤー６３は縦取付枠１３、２１から簡単に取り外すことができる。
【００５１】
前記した構成が本発明の主要素である。さらに、戸車支持部材３５には、次の構成が施されている。すなわち、垂直板３７において、戸車３９の下部には、戸車３９（つまり戸車支持部材３５）の浮き上がり防止用ボルト４３が設けられ、この浮き上がり防止用ボルト４３は、スペーサ４４を介して、垂直板３７に設けたネジ穴４５に螺合している。この浮き上がり防止用ボルト４３は、戸車３９が吊下げられるレール本体３４ａの下側に位置しており（図３参照）、戸車３９の走行時に、扉を介して戸車支持部材３５に浮揚力が作用したとき、浮き上がり防止用ボルト４３がレール本体３４ａの下面部に当たって、該戸車支持部材３５がハンガーレール３４に対して相対的に上動するのを阻止し、したがって、戸車３９がレール本体３４ａから浮上して脱輪するのを防止している。
【００５２】
また、図５において、開閉扉８の上部には扉傾斜支持フック４９が設けられる。この支持フック４９はアイボルト５０に係止されている。このアイボルト５０は、開閉扉８の上部横枠１６に開設のネジ穴５１に螺合することで該開閉扉８に固定できる。また、戸車３９やハンガーレール３４に錆が発生し、或いはハンガーレール３４に小石などの異物が詰まるなどにより、開閉扉８に移動支障を来たし、開閉扉８をハンガーレール３４から外して点検・修理するときは、図４に示すように、戸車３９をハンガーレール３４から外して開閉扉８を斜めに傾けたとき、扉傾斜支持フック４９をハンガーレール３４に引っ掛けることで、該開閉扉８の傾斜状態を保持できる。さらに、支持フック４９の先端をハンガーレール３４の溝に設けた水抜き孔５２に係合することでより確実にその傾斜状態を保持できる。
【００５３】
その後、ハンガーレール３４の下面に位置している浮き上がり防止ボルト４３をスペーサ４４と共に戸車支持部材３５の垂直板３７のネジ穴４５から外して、戸車支持部材３５を上動させることが可能とする。その後、上部レール部材３２の天板２７と戸車３９との空間５６（図４参照）の分だけ上動させ、戸車支持部材３５の水平板３６と開閉扉８の上部横枠１６との間に若干の隙間５７を形成する。つぎに、固定ボルト４７を上部横枠１６のネジ穴５１から螺脱し、かつ上部横枠１６の上面が当たらない位置まで、戸車支持部材３５の水平板３６の切り込み溝４６内で上向きに引き上げる。
【００５４】
このようにして開閉扉８と戸車支持部材３５とが切り離され、かつ開閉扉８の上部を側方に倒す際の障害物がなくなるので、この開閉扉８を少し持上げて下部のガイド部２５を下部ガイドレール２６から外すと共に、図４のように開閉扉８の上部を所定角度倒して、かつ、扉傾斜支持フック４９をハンガーレール３４のレール本体３４ａに引っ掛け、かつ水抜き孔５２に係合して開閉扉８の傾斜状態を保持する。その後、戸車３９をレール本体３４ａから持上げて、戸車支持部材３５を回転させながらハンガーレール３４から取り外し、ガイド溝３８を通して下方手前に引き出し、修理・点検を行うことができる。
【００５５】
固定扉７の上部横枠１６の上面は、箱形断面の上部レール部材３２の下面一側に接して配置されており、上部横枠１６の一側面は、上部レール部材３２のガイド溝３８の一側縁から垂下する垂直支持板５３の側面に接して配置され、その当接部に結合ボルト５４が螺合されて相互に固定されている。垂直支持板５３の上端は上部レール部材３２の天板２７の下面に接しており、垂直支持板５３は、上部レール部材３２との前記当接部が溶接されて該上部レール部材３２に固定されている。固定扉７の下部横枠１７の下面は下部レール部材６の上面一側に接して配置されており、下部横枠１７の一側面は、下部レール部材６の上面一側に設けられた支持板５４の側面に当てがわれ当接部に結合ボルト５５が螺合されて相互に固定されている。  
【００５６】
なお本発明は、防音壁の開閉扉に限らず、他の用途における開閉扉に適用することができ、さらに、防音壁以外にも、防雪柵、防風柵にも同様に適用できる。また、本発明は、支持実施形態で示した構成を適宜設計変更して実施することは構わない。例えば、扉傾斜支持フックは、ハンガーレール３４への係合部と開閉扉８の傾斜を保持する係止部を有する構造であれば、任意の構造であって構わない。
【図面の簡単な説明】
【００５７】
【図１】本発明の実施形態に係る開閉扉の正面図である。
【図２】（ａ）、（ｂ）は、開閉扉と固定扉の正面図である。
【図３】図１のＡ−Ａ断面図（図２のＡ−１線に沿う位置）とＢ−Ｂ断面図（図２のB−１線に沿う位置）である。
【図４】（ａ）（ｂ）は、図１のＡ−Ａ断面線（図２のＡ−１線に沿う位置）とＢ−Ｂ断面線（図２のB−１線に沿う位置）に沿って切断し、開閉扉を傾斜してハンガーレールから取り外す態様を示す図である図１のＡ−Ａ断面図である。
【図５】開閉扉と吊り戸車とレール等の部材の分解斜視図である。
【図６】（ａ）〜（ｃ）は、本実施形態に係る戸車支持部材の平面図と正面図と側面図、（ｄ）〜（ｆ）は、従来例に係る戸車支持部材の平面図と正面図と側面図である。である。
【図７】図１のC−C線の断面図である。
【図８】図７に部分的に示す扉落下防止用ワイヤーの拡大詳細図である。
【図９】（ａ）は、扉傾斜支持フックの他例の使用態様を示す縦断面図、（ｂ）は扉傾斜支持フックの斜視図である。
【図１０】図８は、図９は、本実施形態に係る軽量化された移動扉の躯体部の斜視図、図１０は、従来例に係る移動扉の躯体部の斜視図である。
【図１１】従来の高速道路脇に設置した開閉扉を有する防音壁の施工例の斜視図である。
【図１２】図１１の開閉扉の正面図である。
【図１３】（ａ）、（ｂ）は、開閉扉と固定扉の正面図である。
【図１４】図（ａ）は、図１２のＥ−Ｅ断面図である。
【図１５】図（ａ）は、図１２のＦ−Ｆ断面図である。
【符号の説明】
【００５８】
１  高速道路
２  防音壁
３  開閉扉
４  支柱
５  上部梁（横枠）
６  下部レール部材
７  固定扉
８  開閉扉
８ａ  従来の開閉扉
１０  防音パネル
１１  開口
１２  有孔板
１２ａ  背面板
１３  縦取付枠
１４  吸音材
１４ａ  固定用ボルト
１５  縦取付枠
１６  上部横枠
１７  下部横枠
１８  縦枠
１９  縦枠
２０  取っ手
２１  縦取付枠
２４  ハンガーレール
２５  ガイド部
２６  下部ガイドレール
２７  天板
２８  ガイド溝
２９  吊り戸車
３０  軸
３１  ハンガーボルト
３２  上部レール部材
３３  開閉扉
３４  ハンガーレール
３５  戸車支持部材
３６  水平部材
３７  垂直部材
３８  ガイド溝
３９  戸車
４０  戸車軸
４１  ボルト孔
４２  ナット
４３  浮き上がり防止ボルト
４４  スペーサ
４５  ネジ穴
４６  切り込み溝
４７  固定ボルト
４８  ネジ穴
４９  扉傾斜支持フック
５０  アイボルト
５１  ネジ穴
５２  水抜き孔
５３  垂直板
５４  支持板
５５  結合ボルト
５６  空間
５７  隙間
６０  中央接合部
６１  吸音材仕切り枠
６２  吸音材仕切り枠
６３  落下防止ワイヤー
６４  固定板
６５  ワイヤー通し孔
６６  係合板
６７  ワイヤー係合具
６８  固定ボルト
６９  ボルト孔
７０  ネジ孔
７１  ネジ部材
７２  挿通孔
７３  ナット
【図１】
2006144300.tif 000003
【図２】
2006144300.tif 000004
【図３】
2006144300.tif 000005
【図４】
2006144300.tif 000006
【図５】
2006144300.tif 000007
【図６】
2006144300.tif 000008
【図７】
2006144300.tif 000009
【図８】
2006144300.tif 000010
【図９】
2006144300.tif 000011
【図１０】
2006144300.tif 000012
【図１１】
2006144300.tif 000013
【図１２】
2006144300.tif 000014
【図１３】
2006144300.tif 000015
【図１４】
2006144300.tif 000016
【図１５】
2006144300.tif 000017